(57)【要約】【課題】室内外を仕切る壁パネルの出入口を開閉するドアに取り付けられ、室内側からのレバーの揺動操作によりドアを施錠開錠し、その施錠開錠の別をレバーに連動して回転する表示体を用いて室外側に表示する打掛け錠について、施錠開錠状態の視認性を改善する。【解決手段】レバー１０と表示体との連動を、室内外を貫通しレバー１０と一体に回転する原動軸３０と、室外側面と略平行に支持され、ベベルギア３１、５２の噛み合いにより原動軸３０に連動して回転する従動軸５０と、を介して行う。表示体としては、従動軸５０を回転軸として一体に回転する半割楕円球面形の表示ドラム５１を採用する。この表示ドラム５１を覆う半割楕円球面形のカバー６０の、上半部に開口する表示窓６１を通じて室外側に施錠開錠の別が表示される。室外側面と平行な回転軸を中心に回転する立体的な表示ドラム５１は、室外正面のカバー６０の斜め上方の視点から確認しやすい。【選択図】図２
2010024688.tif 000002
【特許請求の範囲】
【請求項１】
室内外を仕切る壁パネルＰまたは前記壁パネルＰの出入口を開閉するドアＤに取り付けられ、室内側からレバー１０の揺動操作により前記ドアＤを施錠開錠し、その施錠開錠の別を室外側に表示する打掛け錠１であって、
長手方向の一端を中心に前記ドアＤまたは前記壁パネルＰのいずれか一方の室内側面に沿って回転可能に支持され、長手方向の他端が前記壁パネルＰまたは前記ドアＤのいずれか他方の室内側面上に臨むドア施錠位置と、前記長手方向の他端が前記壁パネルＰまたは前記ドアＤのいずれか他方の室内側面上から退避するドア開錠位置との間を揺動操作可能な前記レバー１０と、
前記ドアＤまたは前記壁パネルＰのいずれか前記レバー１０が支持された側を貫通し、前記レバー１０の揺動操作に連動して正逆回転する原動軸３０と、
前記ドアＤまたは前記壁パネルＰのいずれか前記レバー１０が支持された側の室外側面と略平行に支持され、前記原動軸３０の正逆回転に連動して正逆回転する従動軸５０と、
前記従動軸５０を回転軸として一体に回転し、その外周に回転方向に並列する施錠標識５１ａと開錠標識５１ｂとを有する表示ドラム５１と、
この表示ドラム５１を覆い、かつ開口する表示窓６１を有し、前記レバー１０のドア施錠位置とドア開錠位置に対応して、前記表示ドラム５１の施錠標識５１ａと開錠標識５１ｂとを前記表示窓６１を通じて前記室外側に切り替えて表示するカバー６０と、を備える打掛け錠。
【請求項２】
前記原動軸３０が、原動軸ベベルギア３１をドアの室外側面に備え、
前記従動軸５０が、前記原動軸ベベルギア３１と噛み合う従動軸ベベルギア５２を備える請求項１に記載の打掛け錠。
【請求項３】
前記レバー１０の前記室内側面に沿った揺動角度が９０度であり、
前記原動軸３０が前記レバー１０に固定されてレバー１０の揺動と一体に回転し、
前記原動軸ベベルギア３１と前記従動軸ベベルギア５２とのギア比が、２：１である請求項２に記載の打掛け錠。
【請求項４】
前記カバー６０が、球面または楕円球面の一部を構成する凸曲面形であり、
前記表示窓６１が、このカバー６０の上半部に開口し、
前記従動軸５０が、前記ドアＤの上下方向と略一致するように、室外側面に支持され、
前記表示ドラム５１が、前記従動軸５０を回転軸とする回転方向の全周が球面または楕円球面の全部または一部を構成する凸曲面形である請求項３に記載の打掛け錠。
【発明の詳細な説明】
【技術分野】
【０００１】
この発明は、室内外を仕切る壁パネルまたは壁パネルの出入口を開閉するドアに取り付けられ、レバーの揺動操作により前記ドアを施錠開錠する打掛け錠に関する。
【背景技術】
【０００２】
トイレの個室等の室内外を仕切る壁パネルの出入口には、ドアが取り付けられて開閉可能になっている。
このようなドアを室内側からレバーの揺動操作で施錠開錠するとともに、その施錠開錠の別を室外側に表示する錠として、特許文献１のような打掛け錠が知られている。
この打掛け錠は、壁パネルとドアのいずれにも取り付け可能であるが、以下ではドアに取り付けた例について説明する。
【０００３】
打掛け錠は、ドアの室内側面に室内座が固定され、この室内座に対して、前記レバーがその長手方向の一端を中心にドアの室内側面に沿って回転可能に支持されている。
このレバーを揺動させ、床とほぼ平行になるまで倒伏させて、その長手方向の他端を壁パネルの室内側面に設けられた受け具に係合させる。
すると、レバーがドアの室内側面とパネルの室内側面との間に架け渡された状態となってドアが施錠され、壁パネルの出入口が閉止される。
逆に、レバーを床に対してほぼ垂直になるまで起立させると、その長手方向の他端が前記壁パネルの室内側面上からドアの室内側面上へと退避するため、ドアが開錠され、壁パネルの出入口が開閉可能となる。
【０００４】
一方、ドアの室外側面には室外座が固定され、この室外座には、室外側に凸の円板形の表示体がドアの室外側面に沿って回転可能に支持されている。
表示体の表面には、ドアが施錠されたことを示す施錠標識（たとえば扇型の赤色着色部）とドアが開錠されたことを示す開錠標識（たとえば扇型の青色着色部）とが回転方向に並列して付されている。
この表示体にはカバーが被せられ、カバーの上半部には扇型の表示窓が開口し、この表示窓を通じて表示体の施錠標識や開錠標識が視認できるようになっている。
【０００５】
さらに室内座と室外座との間には、ドアを貫通する原動軸が配置され、この原動軸の室内側端部はレバーの揺動中心に固定され、室外側端部は表示体の円の中心に固定されている。
したがって、室内側からレバーを揺動操作すると、原動軸を回転軸として表示体はレバーと一体に回転し、これにより表示窓に施錠標識および開錠標識が切り替え表示され、室外側からドアの施錠開錠状態が判別できるようになっている。
【特許文献１】特開２００２−１５５６４９号公報
【発明の開示】
【発明が解決しようとする課題】
【０００６】
ここで特許文献１の打掛け錠は、上記のようにレバーが床に対してほぼ平行のときにドアが施錠され、レバーが床に対してほぼ垂直のときにドアが開錠されるため、施錠状態から開錠状態に移行する際のレバーの揺動角度は約９０度である。
したがって、レバーと一体に回転する円板形の表示体の回転角度も同じく約９０度となる。
【０００７】
この場合において、カバーの表示窓は、施錠開錠状態を誤認しないように、ドアの施錠時には施錠標識のみを、ドアの開錠時には開錠標識のみを、それぞれ択一的に切り替えて表示する必要がある。
ところが、表示窓の扇型の開度(扇型の中心角度)が表示体の回転角度を超えると、ドアの施錠時に開錠標識の一部が表示窓から見えてしまい、またドアの開錠時に施錠標識の一部が表示窓から見えてしまうため、施錠開錠の判別がしにくくなる。
【０００８】
したがって、レバーの施錠位置では、表示窓に施錠標識のみが表示され、レバーの開錠位置では、表示窓に開錠標識のみが表示されるように、表示窓の扇型の開度を表示体の回転角度以下としなければならない。
実際に特許文献１の表示窓では、その図４（ｂ）に示すように、扇型の開度が上限となる約９０度（１／４円形）になっている。
【０００９】
このように、特許文献１の打掛け錠では、表示体の回転角度が小さいことに起因して、表示体を覆うカバーの表示窓を一定以上に大きくすることができず、表示窓を通じた表示体の視認性について改善の余地があった。
【００１０】
また、表示体がドアの室外側面に沿って回転するため、室外の正面から見た場合、平板的に見え、施錠開錠の表示の視認性について改善の余地があった。
【００１１】
そこでこの発明の解決すべき課題は、室内外を仕切る壁パネルまたは壁パネルの出入口を開閉するドアに取り付けられ、室内側からのレバーの揺動操作により前記ドアを施錠開錠し、その施錠開錠の別をレバーに連動して回転する表示体を用いて室外側に表示する打掛け錠について、施錠開錠の表示の視認性を改善することである。
【課題を解決するための手段】
【００１２】
上記した課題を解決するため、発明にかかる打掛け錠においては、室内側のレバーと室外側の表示体との連動を、室内外を貫通しレバーに連動して回転する原動軸と、室外側面と略平行に支持され、原動軸に連動して回転する従動軸と、を介して行うことにしたのである。
また、表示体として、従動軸を回転軸として一体に回転する表示ドラムを採用したのである。
【００１３】
レバーの揺動を、室外側面と平行な回転軸を中心とする立体的な表示ドラムの回転運動に変換するため、ドアや壁パネルの室外側正面から見た場合に施錠開錠を視認しやすい。
【００１４】
くわしくは、発明にかかる打掛け錠を、長手方向の一端を中心に前記ドアまたは前記壁パネルのいずれか一方の室内側面に沿って回転可能に支持され、長手方向の他端が前記壁パネルまたは前記ドアのいずれか他方の室内側面上に臨むドア施錠位置と、前記長手方向の他端が前記壁パネルまたは前記ドアのいずれか他方の室内側面上から退避するドア開錠位置との間を揺動操作可能な前記レバーと、前記ドアまたは前記壁パネルのいずれか前記レバーが支持された側を貫通し、前記レバーの揺動操作に連動して正逆回転する原動軸と、前記ドアまたは前記壁パネルのいずれか前記レバーが支持された側の室外側面と略平行に支持され、前記原動軸の正逆回転に連動して正逆回転する従動軸と、前記従動軸を回転軸として一体に回転し、その外周に回転方向に並列する施錠標識と開錠標識とを有する表示ドラムと、この表示ドラムを覆い、かつ開口する表示窓を有し、前記レバーのドア施錠位置とドア開錠位置に対応して、前記表示ドラムの施錠標識と開錠標識とを前記表示窓を通じて前記室外側に切り替えて表示するカバーと、を備える構成としたのである。
ここで、従動軸と表示ドラムとは、一体に成型してもよいし、別体のものを一体に回転するように組立てもよい。
【００１５】
前記原動軸が、原動軸ベベルギアを室外側に備え、前記従動軸が、前記原動軸ベベルギアと噛み合う従動軸ベベルギアを備えるのが原動軸の回転に従動軸を連動させる構成としては簡単であるため好ましい。
【００１６】
前記レバーの室内側面に沿った揺動角度が９０度であり、前記原動軸が前記レバーに固定されてレバーの揺動と一体に回転し、前記原動軸ベベルギアと前記従動軸ベベルギアとのギア比が、２：１であると、表示ドラムの回転角度が１８０度となり、これに対応して表示窓を大きくできるため、視認性がさらに良くなって好ましい。
【００１７】
前記カバーが、球面または楕円球面の一部を構成する凸曲面形であり、前記表示窓が、このカバーの上半部に開口し、前記従動軸が、前記ドアの上下方向と略一致するように、室外側面に支持され、前記表示ドラムが、前記従動軸を回転軸とする回転方向の全周が球面または楕円球面の全部または一部を構成する凸曲面形であると、表示窓に臨む表示ドラムを室外正面の斜め上方にある人の視点からさらに確認しやすくなる。
【発明の効果】
【００１８】
室外に施錠開錠の別を表示する表示体を、室外側面と平行な従動軸を回転軸とする立体的な表示ドラムとしたので、ドアや壁パネルの室外側正面から見やすく、視認性が向上する。
【発明を実施するための最良の形態】
【００１９】
図１から図４に示す、この発明の打掛け錠１は、トイレなどの個室の室内外を仕切る壁パネルＰに取り付けられるか、あるいは壁パネルＰの出入口を開閉するドアＤに取り付けられるかされ、室内側に配置されたレバー１０を揺動操作することで、ドアＤを施錠および開錠できるようになっている。
【００２０】
また、このレバー１０の揺動に連動して、室外側に配置された表示ドラム５１が回転し、表示ドラム５１を覆うカバー６０に開口する表示窓６１を通じて、表示ドラム５１外周の施錠標識５１ａおよび開錠標識５１ｂのいずれか一方が室外側に表示されることで、室外側からドアＤの施錠状態および開錠状態を判別できるようになっている。
以下、打掛け錠１をドアＤに取り付けた例について説明するが、壁パネルＰに取り付けた場合においても、当然に同様の作用を発揮する。
【００２１】
この実施形態では、ドアＤの室内側面には、前記レバー１０が室内側面に沿って揺動可能に支持される室内座２０が固定されている。
また、ドアＤの室外側面には、前記表示ドラム５１が回転可能に支持される室外座４０が固定されている。
この室外座４０の正面には、表示ドラム５１を覆う前記カバー６０が取り付けられ、その上半部に開口する前記表示窓６１には、表示ドラム５１の一部が臨んでいる。
これら室内座２０および室外座４０のドアＤへの固定は、室外座４０の背面に形成されたねじ筒４１ａに、室内座２０を貫通するボルト２０ａをねじ合わせ、これにより座２０、４０同士をドアＤを挟んで連結することによる。
なお、室内座２０や室外座４０はドアＤと一体に成型してもよい。
【００２２】
ここで、図５のように、室内座２０はディスク形をしており、その中心には、貫通する円孔である軸受孔２１が形成され、軸受孔２１の両側には、軸受孔２１と連通する一対の収納凹部２２が形成されている。
この収納凹部２２には、内向きの突起２３ａを有する係合片２３と、この係合片２３の背部に組み込まれたばね２４とが収納されており、係合片２３はばね２４によって軸受孔２１に向けて付勢されている。
【００２３】
一方、図５のように、レバー１０は、室内座２０へ取り付ける側の端部に回転座１１が固定されている。
この回転座１１は、外面が楕円球面を長軸に沿って半割りした半割楕円球面形をしており(図３、図４参照)、その内面からは取り付け軸１２が突出している。
取り付け軸１２の外周には周方向に等間隔をおいて４つの係合凹部１２ａが形成されており、取り付け軸１２の端面には軸方向に延びる角穴１２ｂが形成されている。
また、レバー１０の回転座１１が固定された端部と逆側の端部には、レバー１０を操作しやすくするために、グリップ１３が固定されている(図１から図４参照)。
【００２４】
図５に示すように、この回転座１１の取り付け軸１２が、室内座２０の軸受孔２１に差し込まれ、軸受けされることで、レバー１０は室内座２０を中心に、ドアＤの室内側面に沿って回転可能に支持されている。
なお、取り付け軸１２は、軸受孔２１に差し込まれた状態で抜け止めされている。
【００２５】
一方、図３および図４のように、壁パネルＰの室内側面で、室内座２０よりやや低い位置には、楕円柱形の受け具２が固定されている。
グリップ１３を握ってレバー１０を揺動させ、床とほぼ平行となる施錠位置に倒伏させ、そのグリップ１３側の端部を受け具２の上面に係合させる（すなわちグリップ１３側の端部を壁パネルＰの室内側面上に臨ませる）と、レバー１０がドアＤから壁パネルＰへと架け渡されることでドアＤが施錠される。
一方、レバー１０を揺動させ、床に対してほぼ垂直になる開錠位置に起立させると、グリップ１３側の端部が壁パネルＰの室内側面から退避するため、ドアＤが開錠され、出入口を開閉可能となる。
施錠位置と開錠位置の間のレバー１０の揺動角度は、約９０度となる。
【００２６】
ここでレバー１０の揺動に従い、回転座１１が取り付け軸１２を中心として室内座２０に対して回転し、その係合凹部１２ａと室内座２０の係合片２３との位置がレバー１０の施錠位置と開錠位置において合致すると、係合片２３の突起２３ａがばね２４の付勢で係合凹部１２ａにはまり込む。
そのため、レバー１０を施錠位置と開錠位置とで仮固定できるようになっている。
ここでレバー１０にさらに大きな回転トルクを加えると、係合凹部１２ａから係合片２３の突起２３ａがばね２４の付勢に抗して抜け出るため、前記仮固定が解除されてレバー１０をふたたび揺動操作可能となる。
【００２７】
また、図２に示すように、取り付け軸１２の角穴１２ｂには、ドアＤを貫通する角軸である原動軸３０の室内側端部が差し込まれている。
このため、レバー１０を揺動させると、レバー１０と一体に原動軸３０が正逆回転するようになっている。
レバー１０の揺動角度が上記のように約９０度であるから、原動軸３０の回転角度は、約９０度となる。
また、原動軸３０の室外側端部は室外座４０を貫通し、この室外側端部の外周には原動軸ベベルギア３１が取り付けられており、その室外側の端面には、ドライバ係合溝３２が形成されている。
【００２８】
図２のように、室外座４０は、背面に前記ねじ筒４１ａを有し、ドアＤの室外側面に当接する基板４１と、基板４１の上下から基板４１に対してほぼ垂直に延びる一対の支持片４２とからなる。
また従動軸５０は、その上下端がそれぞれ上下の支持片４２に軸支され、これによりドアＤの室外側面とほぼ平行に、かつドアＤの上下方向にほぼ一致した状態で、回転可能に室外座４０に支持されている。
【００２９】
この従動軸５０の外周には、従動軸５０を回転軸として一体に回転する表示ドラム５１が取り付けられている。
図１のように、表示ドラム５１は、概略楕円球面を短軸に沿って半割りした半割楕円球面形をしており、その長軸が従動軸５０と一致している。
この表示ドラム５１の外周には、外周３６０度を等分して、赤色に着色された施錠標識５１ａと青色に着色された開錠標識５１ｂとが１８０度分ずつ設けられている。
図６のように、表示ドラム５１の下端部で従動軸５０の外周には、前記原動軸ベベルギア３１と噛み合う従動軸ベベルギア５２が連設されている。
したがって、原動軸３０が回転すると、それに連動して従動軸５０および表示ドラム５１も回転するようになっている。
ここで、原動軸ベベルギア３１と従動軸ベベルギア５２のギア比は、２：１となっているので、従動軸５０および表示ドラム５１の回転角度は、約１８０度となる。
なお、従動軸５０と表示ドラム５１とは一体成型してもよいし、表示ドラム５１と従動軸ベベルギア５２とは、別体に成型したものを組み立ててもよい。
また、施錠標識５１ａをたとえば「使用中」の文字とし、開錠標識をたとえば「空室」の文字としてもよい。
【００３０】
室外座４０には、これら表示ドラム５１、従動軸５０、原動軸３０の室外端部を覆うカバー６０が取り付けられている。
カバー６０は、楕円球面を長軸方向に半割りした半割楕円球面形であって、その長軸方向がドアＤの上下方向と一致している。
このカバー６０の上半部には表示窓６１が開口して、表示ドラム５１の一部が臨んでおり、その下半部には緊急開錠口６２が開口して原動軸３０のドライバ係合溝３２が臨んでいる。
ここで図１および図４のように、表示窓６１からは、表示ドラム５１の上下方向のほぼ全部と、外周方向の半分（１８０度分）が視認できるようになっている。
ここで室外座４０とカバー６０とは、一体に成型してもよい。
【００３１】
いま、レバー１０が施錠位置にあるときに、室外側のカバー６０の表示窓６１に、表示ドラム５１の施錠標識５１ａのみが表示されるようにしておく。
この状態から、レバー１０を開錠位置に約９０度揺動させると、レバー１０に連動して原動軸３０が約９０度回転し、原動軸３０に連動して従動軸５０および表示ドラム５１が約１８０度回転する。
したがって、レバー１０が開錠位置にあるときに、室外側のカバー６０の表示窓６１には、表示ドラム５１の開錠標識５１ｂのみが切り替わって表示される。
レバー１０を再び施錠位置に揺動させると、カバー６０の表示窓６１には、表示ドラム５１の施錠標識５１ａのみが切り替わって再び表示される。
このようにして、表示窓６１を見ることで、ドアＤの施錠開錠状態を室外側で明瞭に判別できるようになっている。
【００３２】
ここで表示ドラム５１は、立体的であり、ドアＤの室外側面と平行な回転軸に沿って回転し、しかも回転角度が１８０度と大きく、カバー６０に大きく開口する表示窓６１を通じて室外側に表示されるため、視認性が非常に良好である。
とくに、表示ドラム５１は、半割楕円球面形のカバー６０の上半部に開口する表示窓６１から室外側に表示されるため、カバー６０の斜め上方にある人の視点から確認しやすく、視認性が大きく向上している。
【００３３】
なお、レバー１０が破損したなどの理由で、室内側からドアＤの開錠ができない場合には、カバー６０の緊急開錠口６２を通じ原動軸３０のドライバ係合溝３２にドライバを係合させ回転させることで、室外側からレバー１０を揺動させ、ドアＤを開錠することが可能となっている。
【００３４】
表示ドラム５１やカバー６０の形状は、上記の場合が最も視認性がよいため好ましいが、これに限定されることはない。
たとえば、カバー６０や表示ドラム５１を半割球面形としてもよいし、要は、カバー６０が球面または楕円球面の一部を構成する凸曲面形であり、表示ドラム５１が従動軸５０を回転軸とする回転方向の全周が球面または楕円球面の全部または一部を構成していればよい。
【００３５】
図７に、打掛け錠１の他の例を示す。
この例においては、従動軸５０はドアＤの室外側面と平行に、かつドアＤの左右方向に一致して室外座４０に回転可能に支持されている。
また、表示ドラム５１は円筒形をなし、表示ドラム５１の端面には原動軸ベベルギア３１と噛み合う従動軸ベベルギア５２が連設されている。
さらに、カバー６０は半割円筒形をなし、表示窓６１は表示ドラム５１の外周の約半分(１８０度)だけが視認できるようになっている。
その他の構成については、図１から図６の例と同様である。
この例においても、表示ドラム５１は立体的であり、ドアＤの室外側面と平行な回転軸に沿って回転し、しかも回転角度が１８０度と大きく、カバー６０に大きく開口する表示窓６１を通じて室外側に表示されるため、視認性が非常に良好である。
【図面の簡単な説明】
【００３６】
【図１】打掛け錠の斜視図
【図２】ドアに取り付けられた打掛け錠の縦断面図
【図３】ドアに取り付けられた打掛け錠の正面図
【図４】ドアに取り付けられた打掛け錠の平面図
【図５】(ａ)は、室内座と取り付け軸との関係を示す平面図、(ｂ)は打掛け錠の室内側部分の分解斜視図
【図６】原動軸と表示ドラムとの関係を示す(ａ)は側面図、(ｂ)は分解斜視図
【図７】打掛け錠の他の例の斜視図
【符号の説明】
【００３７】
１  打掛け錠
２  受け具
１０  レバー
１１  回転座
１２  取り付け軸
１２ａ  係合凹部
１２ｂ  角穴
１３  グリップ
２０  室内座
２０ａ  ボルト
２１  軸受孔
２２  収納凹部
２３  係合片
２３ａ  突起
２４  ばね
３０  原動軸
３１  原動軸ベベルギア
３２  ドライバ係合溝
４０  室外座
４１  基板
４１ａ  ねじ筒
４２  支持片
５０  従動軸
５１  表示ドラム
５１ａ  施錠標識
５１ｂ  開錠標識
５２  従動軸ベベルギア
６０  カバー
６１  表示窓
６２  緊急開錠口
Ｄ  ドア
Ｐ  壁パネル
【図１】
2010024688.tif 000003
【図２】
2010024688.tif 000004
【図３】
2010024688.tif 000005
【図４】
2010024688.tif 000006
【図５】
2010024688.tif 000007
【図６】
2010024688.tif 000008
【図７】
2010024688.tif 000009